(57)【特許請求の範囲】
【請求項１】
一方中空形材と、他方中空形材と、これらを連結する連結具及びカバー部材とを備え、
連結具は、一方中空形材及び他方中空形材の長手方向端部の内部に架け渡して配置され、それぞれの中空形材に、固定と固定の解除が可能な固定具で固定してあり、
一方中空形材は、長手方向端部に長手方向のガイド部を有し、
カバー部材は一方中空形材の端部に嵌め、一方中空形材と他方中空形材間の継ぎ目を覆うものであり、
カバー部材と連結具をガイド部を介して一体に結合し、
一方中空形材及び他方中空形材と連結具間の、固定具による固定を解除すると、連結具とカバー部材がガイド部に沿って移動可能となり、連結具を一方中空形材内部に引き込み可能であることを特徴とする建築構造体。
【発明の詳細な説明】
【技術分野】
【０００１】
本発明は、中空形材を連結した構造部分を持つ建築構造体に関する。
【背景技術】
【０００２】
建築構造体において、例えば、フェンスにおける胴縁や笠木など所定の単位長さ（例えば２０００ｍｍ）に切断した中空形材を連結して長尺の構造部分（長尺構造部分）とすることがある。連結箇所では、連結具が一方の中空形材（一方中空形材）及び他方の中空形材（他方中空形材）の長手方向端部の内部に架け渡して配置され、それぞれの中空形材に固定ねじで固定されている。この場合に連結箇所では継ぎ目が生じるが、継ぎ目にはわずかであるが段差があったり、中空形材の端部に鋭さが残っていて危険であったり、あるいは中空形材間の熱延びを考慮して熱延び用隙間を設けてあったりするので、外観を整える上からこの継ぎ目をカバー部材で覆っている。
また、このような連結構造では、長尺構造部分の途中に損傷が生じた場合にその部分の単位長さ分だけを取り外そうとすると、連結箇所の連結具とカバー部材を端から順次外したり、緩めたりする必要があって、目的とする単位長さ分を取り出すのが困難である。このため、修理工事に手間を要している。
【先行技術文献】
【非特許文献】
【０００３】
【非特許文献１】三協立山アルミのカタログ「パブリックエクステリア総合カタログ２０１１（ＳＴＸ０５７０Ａ）」第３１５頁  特許庁受入れ２０１１年１月１７日
【発明の概要】
【発明が解決しようとする課題】
【０００４】
建築構造体の長尺構造部分において、これを構成する単位長さ分の一つを簡単に取外すことができる建築構造体の提供。
【課題を解決するための手段】
【０００５】
建築構造体における長尺構造部分において、単位長さ分を取外すときは、一方中空形材と他方中空形材を連結している連結具をカバー部材と共に一方の中空形材側へ移動させ、連結具を一方中空形材中へ引き込み、一方中空形材と他方中空形材間の連繋を解除する。
【発明の効果】
【０００６】
建築構造体における長尺構造部分の単位長さ分だけを簡単に取外すことができる。
【図面の簡単な説明】
【０００７】
【図１】連結箇所を下面側から示した斜視図（実施例１）。
【図２】連結箇所を分解して示す下面側からの斜視図。
【図３】連結を解除する状態を説明するための斜視図。
【図４】フェンス（一部）の正面図（実施例２）。
【図５】支柱に対するパネルの取り付け状態を説明するための側面図。
【図６】図４に示す構造部分Ａ，Ｂを断面で透視的に示す側面図。
【図７】連結箇所を説明するための斜視図。
【図８】連結箇所を断面で透視的に示す平面図。
【図９】連結を解除した状態を断面で透視的に示した平面図。
【図１０】（イ）は、笠木用隙間カバーの斜視図、（ロ）は、下弦材用カバーの斜視図。
【図１１】連結箇所を下面側から示した斜視図（実施例３）。
【図１２】（イ）（ロ）は、カバー部材に関する他の例を示した斜視図。
【発明を実施するための形態】
【０００８】
建築構造体における長尺構造部分を、一方中空形材と他方中空形材とこれらを連結する連結具とを備えたものとし、連結具は、一方中空形材及び他方中空形材の長手方向端部の内部に架け渡して配置し、それぞれの中空形材に固定と固定の解除が可能な固定具（例えば、固定ねじ、スナップ鋲）で固定する。
そして、一方中空形材は、長手方向端部に長手方向のガイド部を有するものとし、一方中空形材及び他方中空形材の固定具による固定を解除して連結具をカバー部材と共にガイド部に沿って移動させ、連結具を一方中空形材内部へ引き込み可能とする。
【実施例１】
【０００９】
図１は、建築構造体における長尺構造部分１の一部であり、連結箇所２を示している。なお、図は本来の底面を上方として図示している。連結箇所２は、一方中空形材３と他方中空形材４とこれらを連結する連結具５及びカバー部材６を備える。連結具５は、図１のように、一方中空形材３及び他方中空形材４の長手方向端部の内部に架け渡して配置され、端部が一方中空形材３と他方中空形材４とに固定ねじ７（７ａ，７ｂ）で固定されている。
そして、一方中空形材３は、長手方向端部に長手方向のガイド部８（この例では長孔）を有し、一方中空形材３及び他方中空形材４の固定ねじ７による固定を解除すると、連結具５をガイド部８に沿ってカバー部材６と共に一方中空形材側へ移動させ、連結具５を内部へ引き込み可能となっている。
【００１０】
すなわち、図２に示すように、一方中空形材３は、側面９に２個の通孔１０と底面１１の長手方向端部に長孔（ガイド部８）が長手方向に形成されており、他方、この実施例では、他方中空形材４の側面であって端部に、熱延び吸収用長孔１２が形成されている。一方、連結具５はこの実施例においてチャンネル形で一方の側面１３にタップ切したねじ孔１４とタップ切したねじ孔１５を２個ずつ有し、底面１６に１個のタップ切したねじ孔１７を有する。ねじ孔１４は、固定ねじ７ａに対応したものであり、ねじ孔１５は長孔１２に対応した位置に形成されている。図において、符号１８はガイド用ねじであり、カバー部材６と連結具５とを結合するとともに、ガイド部８に沿ってスライド移動可能としてある。ガイド用ねじ１８は、連結具５の底面に設けたねじ孔１７にねじ込まれてカバー部材６と連結具を結合する結合部材の一つである。
カバー部材６は、内面が一方中空形材３の断面形状に合致した環状の部材であり、多くは、合成樹脂の成形品あるいは押出成形した中空形材から切り出した部材である。カバー部材６は一方中空形材３側に突出した突出片６ａを有し、そこにガイド用ねじ１８を通す貫通孔６ｂを形成してある。
【００１１】
これらは次のように、組み付ける。
一方中空形材３にその端部からカバー部材６を嵌め込む。
一方中空形材３及び他方中空形材４の長手方向端部の内部に連結具５を架け渡して配置する。
連結具５の一方の端部と一方中空形材３を、一方中空形材３の側面９から通孔１０を通した固定ねじ７ａを連結具５の側面に設けたねじ孔１４にねじ込むことよって、連結具５と一方中空形材を固定する。ついで、カバー部材６を移動して一方中空形材３と他方中空形材４の継ぎ目（この実施例では、熱延び用隙間を設けてある）を覆い、突出片６ａの貫通孔６ｂにガイド用ねじ１８を挿しとおすと共に、一方中空形材３の底面１１に設けたガイド部８を貫通させて連結具５の底面１６に設けたねじ孔１７へねじ込む。最後に、他方中空形材４を連結具５の他方側へ差し込み、他方中空形材４の外側から、他方中空形材４の側面に設けた長孔１２を貫通させて固定ねじ７ｂを連結具５の側面に形成したねじ孔１５にねじ込む。ねじ込みの程度は中空形材の熱伸びでねじ７が長孔１２をスライド移動できる程度とする。
この連結構造を中空形材の両端で繰り返し構成して一連の長尺構造部分１を形成する。
なお、固定ねじ７ａ，７ｂは、差し込むことで固定状態となるスナップ鋲のようなものでもよく、一般に固定と固定の解除が可能な固定具であればよい。
【００１２】
一連の長尺構造部分１から１単位の一方中空形材３あるいは他方中空形材４を取り外すときは、まず、一方中空形材３及び他方中空形材４を連結具５と固定している固定ねじ７ａ，７ｂを外す（図２）。ついで、ガイド用ねじ１８をつまんでガイド部８を長手方向へ移動して、カバー部材６と連結具５をガイド部８に沿って一方中空形材側へ移動し、連結具５を一方中空形材内部に引き込む（図３）。この操作を１単位の中空形材の両端において行うと、カバー部材６を熱延び用に設定してある隙間、すなわち、継ぎ目から外せると同時に、一方中空形材３と他方中空形材４との連繋がなくなり、目的とする１単位部分（中空形材）を簡単に取外すことができる。
【実施例２】
【００１３】
図４は、フェンスの一部であり、フェンスは建築構造体である。このフェンス１９は、基礎２０に立設した支柱２１にパネル２２を取り付けて構成されている。
この実施例のパネル２２は笠木タイプの縦格子であり、上辺の笠木２３（２３ａ，２３ｂ）と下辺の下弦材２４（２４ａ，２４ｂ）との間に縦桟２５が配置され、これらの上下がそれぞれ笠木２３と下弦材２４とねじ２６,２７によってねじ止めされている（図５）。笠木２３、下弦材２４、縦桟２５は、この実施例において、いずれもアルミ合金の中空形材で構成されている。
パネル２２は、その上辺を係合するフック２８（図５）と下辺を係合するフック２９を、共に支柱２１の正面へ固定することによって、支柱２１へ取り付けられる。なお、図において、フック２８，２９は支柱２１を貫通してこれらにねじ込まれるボルト（図示していない）によって支柱２１へ固定される。
【００１４】
パネル２２の笠木２３と下弦材２４は、この実施例において長さ２０００mmの中空形材であり、パネル２２を連ねて、より長いフェンス１９を構築するときは、パネル２２が隣接する箇所で、笠木２３及び下弦材２４を連結してそれぞれ長尺構造部分１にする。図４の円囲み部分Ａは、隣接した一方の笠木２３ａと他方の笠木２３ｂが連結具３０を用いて連結された連結箇所であり（連結構造Ａという）、また、同図４の円囲み部分Ｂは、隣接した一方の下弦材２４ａと他方の下弦材２４ｂが連結具３１を用いて連結された連結箇所である（連結構造Ｂという）。
【００１５】
連結構造Ａでは、図６、図７に示すように、一方中空形材である一方の笠木２３ａと他方中空形材である他方の笠木２３ｂとが、連結具３０を用いて連結されている（図７）。この実施例において、連結具３０は架設材３２と受け板３３を備える。架設材３２には架設材側長孔３４とタップ切りした架設材固定用ねじ孔３５及びタップ切りした受け板連結用ねじ孔３６が形成され、受け板３３には受け板側長孔３７及びタップ切りした架設材連結用ねじ孔３８が形成されている（図７）。
架設材側長孔３４および受け板側長孔３７は、いずれも、一方の笠木２３ａと他方の笠木２３間の継ぎ目において熱延びによる寸法変化を吸収できる長さ（実施例では約２２ｍｍ）を有する。
【００１６】
一方の笠木２３ａと他方の笠木２３ｂを連結するときは、図６に見るように、まず、架設材３２に受け板３３を内面側から重合して受け板側長孔３７を貫通する受け板連結用ねじ３９を受け板連結用ねじ孔３６にねじ込んで受け板３３を架設材３２に連結する。連結の程度は、受け板連結用ねじ３９が中空形材の熱延び方向へガタなくスライドが可能な程度とする。
ついで、架設材３２に受け板３３を組み付けた連結具３０の一端部を一方の笠木２３ａに架設材固定用ねじ４０を架設材３２の架設材固定用ねじ孔３５へねじ込むことで固定し、他端部を他方の笠木２３ｂに、架設材連結用ねじ４１を架設材３２の架設材側長孔３４を貫通させて受け板３３の架設材連結用ねじ孔３８へねじ込むことにより連結する。
なお、架設材固定用ねじ４０、架設材連結用ねじ４１は、隣接した笠木２３ａ，２３ｂの端部に形成されている通孔４２，４３を貫通して架設材３２及び受け板３３に設けられたそれぞれに対応したねじ孔３５，３８にねじ込まれる（図７）。受け板連結用ねじ３９、架設材固定用ねじ４０、架設材連結用ねじ４１は、押し込みによって取り付けるスナップ鋲であっても良く、一般に固定と固定の解除が可能な固定具であればよい。
【００１７】
この取付け状態を側面的に見ると図６のようになり、平面的に見ると図８のようになる。そして、図８のように、一方の笠木２３ａの底面には、端部近くで笠木２３の長手方向に長い長孔のガイド部８が形成されており、このガイド部８を貫通してガイド用ねじ１８（結合部材）が架設材３２の底面にタップ切りしたねじ孔１７にねじこまれている。ねじ込みの程度はゆるく、ガイド用ねじ１８がガイド部８を自由にスライド移動できる程度である。
そして、図６，８，９において、符号４４は笠木用隙間カバーであって、一方の笠木２３ａと他方の笠木２３ｂ間の継ぎ目において生じる隙間（熱延びを考慮した）を閉じて意匠性を向上させるためのものである。
【００１８】
笠木用隙間カバー４４は図１０（イ）に見るように笠木の断面形状に合わせたリング状であって、中空形材の長手方向に突出した突出片４４ａを備えている。突出片４４ａには、貫通孔４４ｂが形成されている。笠木用隙間カバー４４は、前記のように一方の笠木２３ａに連結具３０を取り付けるとき、ガイド用ねじ１８をあらかじめ笠木用隙間カバー４４の突出片４４ａの貫通孔４４ｂに通しておき、ガイド用ねじ１８を架設材３２のねじ孔１７にねじ込むことで、連結具３０と同時に取付ける。
【００１９】
構造部分Ｂは、下弦材２４の断面形状が笠木２３とは異なるのと下弦材隙間カバー４５の突出片４５ａが上面側に形成されている点で異なるが、基本的には同じ構造である。連結具３１は笠木２３を連結するものと同じものを上下対照の配置で使用することができる。
笠木２３の場合と共通の部分、部品に同じ符号を付け、詳しい説明を省略する。下弦材隙間カバー４５は、図１０（ロ）に見る構造となる。
この連結構造を連結箇所２ごとに繰り返して長尺構造部分１が形成される。
【００２０】
笠木２３と下弦材２４が連なった長尺構造部分１から１単位の構造部分（パネル２２）を取り外すときは、まず、連結箇所において一方の笠木２３ａと他方の笠木２３ｂを連結具３０に固定している架設材固定用ねじ４０と架設材連結用ねじ４１を外す。ついで、ガイド用ねじ１８をつまんで笠木用隙間カバー４４と共に長手方向へ移動させて、連結具３０をガイド部８に沿って一方の笠木２３ａの内部へ引き込む（図９）。この操作を笠木２３ａの（１単位の中空形材）両端において行うと、一方の笠木２３ａと他方の笠木２３ｂとの連繋がなくなる。ついで、下弦材２４についても同様に連結具３１をガイド部８に沿って一方の下弦材２４ａの内部へ引き込むので、目的とする１単位の構造部分を簡単に取外すことができる。取り外しは、長尺構造部分１のどの部分においても、また、複数の単位範囲でも可能とすることができる。
【実施例３】
【００２１】
図１１は、実施例３であり、図１の構造に類似するが、連結具５を引き込むためのガイド部８（長孔）が一方中空形材３と他方中空形材４の双方に形成され、中空形材３，４がそれぞれガイド用ねじ１８で連結具５に取り付けられている点で異なる。他の構成は実施例１の場合と同じである。
実施例３では長尺構造部分１から、例えば、１単位分を取外すとき、実施例２の場合に比べ、いま一つのガイド用ねじ１８を取外す手間が余計にかかるが、これも外せば、連結具５を一方中空形材３、他方中空形材４のいずれの側にも引き込むことができる。
【００２２】
図１２は、実施例１において使用するカバー部材６と連結具５を結合する他の手段の例を示したものである。図１２において（イ）は、カバー部材６の突出片６ａと一体に下方へ結合突起４６を設けたものであり、カバー部材６は全体がある程度の柔軟性を有する合成樹脂製となっている。一方中空形材３の端部にカバー部材６を嵌め込み、連結具５で一方中空形材３と他方中空形材４を連結した後、これらの継ぎ目（熱延び用に設定した隙間を有する）にカバー部材６を移動させ、ついで、前記の結合突起４６をガイド部８を介してその内側の連結具５のねじ孔１７へ押し込むことで、カバー部材６と連結具５とを一体化する。
固定ねじ７ａ，７ｂを取外し、カバー部材６を移動させることで連結具５を一方中空形材３側へ引き込むことができる。
【００２３】
結合突起４６は、図１２（ロ）のように、カバー部材６の突出片６ａと分離した部材であってもよく、突出片６ａに設けた貫通孔６ｂに差込み、ガイド部８を介して連結具５のねじ孔１７へ押し込むと、カバー部材６と連結具５を固定することができる。
結合突起４６の場合、ねじ孔１７は単なる差込孔であってよい。
【００２４】
以上、実施例を説明した。
建築構造体としては、無目に縦桟２５を取り付ける格子タイプのフェンス、外装材や手摺、無目、その他、中空形材を連結して構成する構造体がある。中空形材で構成された無目や手摺などが長尺構造部分１を構成する。
実施例ではいずれも、一方中空形材３と他方中空形材４の継ぎ目は熱延び用隙間を設けたものとしたが、熱延び用隙間は設けない場合も多い。この場合、笠木用隙間カバー４４や下弦材用隙間カバー４５は、継ぎ目を覆うためのカバー部材である。
連結具５や連結具３０あるいは連結具３１における架設材３２や受け板３３の形状は、実施例においてはチャンネル形や平らな板材としているが、連結しようとする一方中空形材、他方中空形材の断面形状に応じて、その一部あるいは断面の全体に適合するように設定される。
【００２５】
カバー部材６（笠木用隙間カバー４４や下弦材用隙間カバー４５を含む）は、合成樹脂製であったりすることが多いが、アルミ合金の押出し形材から切り出された部材であったり、鋳造品のこともある。
また、ガイド部８は、長孔以外に長孔の一端を開放した長いＵ字状の切り込みであってもよい。
実施例では、連結具５を一方中空形材３側へ引き込むのに、固定ねじ７ａ，７ｂや架設材固定用ねじ４０、架設材連結用ねじ４１を取外しているが、これらのねじが連結具５にねじ込まれる箇所（ねじ孔１４,１５、架設材側長孔３４、架設材固定用ねじ孔３５）をそれぞれガイド部８の長さに相当する長さを有する長孔とし、固定ねじ７ａなどの固定を解除して連結具５をこの長孔に沿って移動できる構造にすれば、これらのねじは緩めて固定を解除すればよく、取り外す必要はない。このような固定具の例は、回り止めのナットを利用するビスであり、固定と固定を解除できる固定具の一つである。
支柱２１に対するパネル２２の取付け構造は、実施例のようにフックに限らず、直接的なねじ止めなど、適宜の手段によってよい。
【符号の説明】
【００２６】
１  長尺構造部分
２  連結箇所
３  一方中空形材
４  他方中空形材
５  連結具
６  カバー部材
６ａ  突出片
６ｂ  貫通孔
７ａ，７ｂ  着脱可能な固定具（固定ねじ）
８  ガイド部
９  側面
１０  通孔
【００２７】
１１  底面
１２  熱延び吸収用長孔
１３  側面
１４  ねじ孔
１５  ねじ孔
１６  底面
１７  ねじ孔
１８  ガイド用ねじ（結合部材）
１９  フェンス
２０  基礎
【００２８】
２１  支柱
２２  パネル
２３，２３ａ，２３ｂ  笠木
２４，２４ａ，２４ｂ  下弦材
２５  縦桟
２６  ねじ（上）
２７  ねじ（下）
２８  フック（上）
２９  フック（下）
３０  連結具（上）
【００２９】
３１  連結具（下）
３２  架設材
３３  受け板
３４  架設材側長孔
３５  架設材固定用ねじ孔
３６  受け板連結用ねじ孔
３７  受け板側長孔
３８  架設材連結用ねじ孔
３９  受け板連結用ねじ
４０  架設材固定用ねじ
【００３０】
４１  架設材連結用ねじ
４２  通孔
４３  通孔
４４  笠木用隙間カバー（カバー部材）
４４ａ  突出片
４４ｂ  貫通孔
４５  下弦材隙間カバー（カバー部材）
４５ａ  突出片
４５ｂ  貫通孔
４６  結合突起
【図１】
0005844130.tif 000002
【図２】
0005844130.tif 000003
【図３】
0005844130.tif 000004
【図４】
0005844130.tif 000005
【図５】
0005844130.tif 000006
【図６】
0005844130.tif 000007
【図７】
0005844130.tif 000008
【図８】
0005844130.tif 000009
【図９】
0005844130.tif 000010
【図１０】
0005844130.tif 000011
【図１１】
0005844130.tif 000012
【図１２】
0005844130.tif 000013